【手続補正書】
【提出日】平成26年11月20日(2014.11.20)
【手続補正１】
【補正対象書類名】特許請求の範囲
【補正対象項目名】全文
【補正方法】変更
【補正の内容】
【特許請求の範囲】
【請求項１】
潤滑粘度の油とアミン官能化エステル化コポリマーの（チオ）リン酸塩とを含む潤滑組成物であって、該エステル化コポリマーが、モノマー：
（ｉ）α−オレフィン、および
（ｉｉ）少なくとも１種類のアルコールでエステル化されており、少なくとも一部のカルボン酸基が少なくとも１種類のアミンと反応するエチレン性不飽和カルボン酸またはその誘導体
に由来する単位を含むものである、潤滑組成物。
【請求項２】
前記α−オレフィンが、１−デセン、１−ウンデセン、１−ドデセン、１−トリデセン、１−テトラデセン、１−ペンタデセン、１−ヘキサデセン、１−ヘプタデセン、１−オクタデセン、またはその混合物を含む、前記請求項１に記載の潤滑組成物。
【請求項３】
前記α−オレフィンが１−ドデセンである、前記請求項１に記載の潤滑組成物。
【請求項４】
前記エチレン性不飽和カルボン酸またはその誘導体が、無水イタコン酸、無水マレイン酸、メチルマレイン酸無水物、エチルマレイン酸無水物、ジメチルマレイン酸無水物またはその混合物を含む、請求項１に記載の潤滑組成物。
【請求項５】
前記α−オレフィンが１−ドデセンであり、前記不飽和カルボン酸またはその誘導体が無水マレイン酸である、前記請求項１〜４のいずれかに記載の潤滑組成物。
【請求項６】
前記コポリマーが、エステル化前に０．０８までの換算比粘度を有するものである、前記請求項１〜５のいずれかに記載の潤滑組成物。
【請求項７】
前記アルコールが、β位またはそれより高次の位置で分枝状の第１級アルコールを含み、少なくとも１２個（または少なくとも１６個、または少なくとも１８個または少なくとも２０個）の炭素原子を有し得る、前記請求項１〜６のいずれかに記載の潤滑組成物。
【請求項８】
前記アルコールが、（ｉ）ゲルベアルコールと、（ｉｉ）６〜２０個、または８〜１８個、または１０〜１５個の炭素原子を含む、ゲルベアルコール以外の鎖状アルコールとの混合物を含むものである、前記請求項１〜６のいずれかに記載の潤滑組成物。
【請求項９】
前記アミンが、アミノ−ヒドロカルビルモルホリン（ｎ−アミノプロピルモルホリンなど）、アミノアルコール、Ｎ，Ｎ−ジメチルアクリルアミド、Ｎ−ビニルカルボンアミド（Ｎ−ビニル−ホルムアミド、Ｎ−ビニルアセトアミド、Ｎ−ビニルプロピオンアミド、Ｎ−ビニルヒドロキシアセトアミドなど）、ビニルピリジン、Ｎ−ビニルイミダゾール、Ｎ−ビニルピロリジノン、Ｎ−ビニルカプロラクタム、ジアルキルアミノアルキル（メタ）アクリルアミドもしくはジアルキルアミノアルキル（メタ）アクリレート、Ｎ−置換アルカンジアミン、またはその混合物を含む、前記請求項１〜８のいずれかに記載の潤滑組成物。
【請求項１０】
前記アミノアルコールが、ジメチルエタノールアミン、エタノールアミン、イソプロパノールアミン、ジエタノールアミン、トリエタノールアミン、Ｎ，Ｎ−ジエチルエタノールアミン、Ｎ，Ｎ−ジブチルエタノールアミン、３−アミノ−１，２−プロパンジオール、セリノール、２−アミノ−２−メチル−１，３−プロパンジオール、トリス（ヒドロキシメチル）−アミノメタン、ジイソプロパノールアミン、Ｎ−メチルジエタノールアミン、３−（ジメチルアミノ）−２，２−ジメチルプロパン−１−オール、および２−（２−アミノエチルアミノ）エタノールのうちの少なくとも１種類を含む、請求項９に記載の潤滑組成物。
【請求項１１】
前記（チオ）リン酸塩が（チオ）リン酸化剤から誘導され、該（チオ）リン酸化剤が＋５の酸化状態のリンを有し得るものである、前記請求項１〜１０のいずれかに記載の潤滑組成物。
【請求項１２】
前記（チオ）リン酸化剤が、ＰＯＣｌ３、Ｐ２Ｏ５、Ｐ４Ｏ１０、ポリリン酸、Ｐ２Ｓ５、Ｐ４Ｓ１０、リン酸、チオリン酸、またはその混合物のうちの少なくとも１種類を含むものである、請求項１１に記載の潤滑組成物。
【請求項１３】
酸性（チオ）ホスフェートが、前記エステル化コポリマーを（チオ）ホスフェートと反応させることにより得られた／得られ得る生成物であり、該（チオ）ホスフェートは、ヒドロキシ含有カルボキシル化化合物（典型的には、ヒドロキシ含有カルボン酸またはその誘導体）、（典型的には、硫黄が含有されていない）リン酸化剤、および任意選択でアルコールを反応させることにより得られた／得られ得るものである、請求項１１に記載の潤滑組成物。
【請求項１４】
機械装置を潤滑する方法であって、該装置に前記請求項１〜１３のいずれかに記載の潤滑組成物を供給することを含む方法。
【請求項１５】
前記機械装置がマニュアルトランスミッションなどの動力伝達装置である、請求項１４に記載の方法。
【手続補正２】
【補正対象書類名】明細書
【補正対象項目名】００２５
【補正方法】変更
【補正の内容】
【００２５】
一実施形態において、本発明は、耐摩耗性能と、消泡性能の改善と、任意選択で機械装置の密封性との不適合性の低下、金属腐食の低減、臭気の低減、取り扱い性の改善、生分解性の改善、および酸化的清浄性の改善のうちの少なくとも１つ（または少なくとも２つもしくは全部）とを有する潤滑剤組成物を得るための、車軸油中における本明細書に開示したコポリマーの使用を提供する。
一実施形態において、例えば、以下の項目が提供される。
（項目１）
潤滑粘度の油とアミン官能化エステル化コポリマーの（チオ）リン酸塩とを含む潤滑組成物であって、該エステル化コポリマーが、モノマー：
（ｉ）α−オレフィン、および
（ｉｉ）少なくとも１種類のアルコールでエステル化されており、少なくとも一部のカルボン酸基が少なくとも１種類のアミンと反応するエチレン性不飽和カルボン酸またはその誘導体
に由来する単位を含むものである、潤滑組成物。
（項目２）
前記α−オレフィンが鎖状もしくは分枝状のオレフィンまたはその混合物である、項目１に記載の潤滑組成物。
（項目３）
前記α−オレフィンが、１−デセン、１−ウンデセン、１−ドデセン、１−トリデセン、１−テトラデセン、１−ペンタデセン、１−ヘキサデセン、１−ヘプタデセン  １−オクタデセン、またはその混合物を含む、前記項目１〜２のいずれかに記載の潤滑組成物。
（項目４）
前記α−オレフィンが１−ドデセンである、前記項目１〜２のいずれかに記載の潤滑組成物。
（項目５）
前記エチレン性不飽和カルボン酸またはその誘導体が、無水イタコン酸、無水マレイン酸、メチルマレイン酸無水物、エチルマレイン酸無水物、ジメチルマレイン酸無水物またはその混合物を含む、項目１に記載の潤滑組成物。
（項目６）
前記エチレン性不飽和カルボン酸またはその誘導体が無水マレイン酸またはその誘導体である、前記項目１〜５のいずれかに記載の潤滑組成物。
（項目７）
前記α−オレフィンが１−ドデセンであり、前記不飽和カルボン酸またはその誘導体が無水マレイン酸である、前記項目１〜６のいずれかに記載の潤滑組成物。
（項目８）
前記コポリマーが、エステル化前に０．０８までの換算比粘度を有するものである、前記項目１〜７のいずれかに記載の潤滑組成物。
（項目９）
前記アルコールが、鎖状もしくは分枝状のアルコール、環式もしくは非環式のアルコール、またはこれらの特徴の組合せである、前記項目１〜８のいずれかに記載の潤滑組成物。
（項目１０）
前記アルコールが、β位またはそれより高次の位置で分枝状の第１級アルコールを含み、少なくとも１２個（または少なくとも１６個、または少なくとも１８個または少なくとも２０個）の炭素原子を有し得る、前記項目１〜８のいずれかに記載の潤滑組成物。
（項目１１）
前記アルコールが、（ｉ）ゲルベアルコールと、（ｉｉ）６〜２０個、または８〜１８個、または１０〜１５個の炭素原子を含む、ゲルベアルコール以外の鎖状アルコールとの混合物を含むものである、前記項目１〜８のいずれかに記載の潤滑組成物。
（項目１２）
前記アミンが０ｍｇＫＯＨ／ｇより大きいＴＢＮ（すなわち、総塩基価）をもたらし得るものである、前記項目１〜１１のいずれかに記載の潤滑組成物。
（項目１３）
前記アミンが、アミノ−ヒドロカルビルモルホリン（ｎ−アミノプロピルモルホリンなど）、アミノアルコール、Ｎ，Ｎ−ジメチルアクリルアミド、Ｎ−ビニルカルボンアミド（
Ｎ−ビニル−ホルムアミド、Ｎ−ビニルアセトアミド、Ｎ−ビニルプロピオンアミド、Ｎ−ビニルヒドロキシアセトアミドなど）、ビニルピリジン、Ｎ−ビニルイミダゾール、Ｎ−ビニルピロリジノン、Ｎ−ビニルカプロラクタム、ジアルキルアミノアルキル（メタ）アクリルアミドもしくはジアルキルアミノアルキル（メタ）アクリレート、Ｎ−置換アルカンジアミン、またはその混合物を含む、前記項目１〜１２のいずれかに記載の潤滑組成物。
（項目１４）
前記アミノアルコールが、ジメチルエタノールアミン、エタノールアミン、イソプロパノールアミン、ジエタノールアミン、トリエタノールアミン、Ｎ，Ｎ−ジエチルエタノールアミン、Ｎ，Ｎ−ジブチルエタノールアミン、３−アミノ−１，２−プロパンジオール、セリノール、２−アミノ−２−メチル−１，３−プロパンジオール、トリス（ヒドロキシメチル）−アミノメタン、ジイソプロパノールアミン、Ｎ−メチルジエタノールアミン、３−（ジメチルアミノ）−２，２−ジメチルプロパン−１−オール、および２−（２−アミノエチルアミノ）エタノールのうちの少なくとも１種類を含む、項目１３に記載の潤滑組成物。
（項目１５）
前記（チオ）リン酸塩が（チオ）リン酸化剤から誘導され、該（チオ）リン酸化剤が＋５の酸化状態のリンを有し得るものである、前記項目１〜１４のいずれかに記載の潤滑組成物。
（項目１６）
前記（チオ）リン酸化剤が、ＰＯＣｌ３、Ｐ２Ｏ５、Ｐ４Ｏ１０、ポリリン酸、Ｐ２Ｓ５、Ｐ４Ｓ１０、リン酸、チオリン酸、またはその混合物のうちの少なくとも１種類を含むものである、項目１５に記載の潤滑組成物。
（項目１７）
酸性（チオ）ホスフェートが、前記エステル化コポリマーを（チオ）ホスフェートと反応させることにより得られた／得られ得る生成物であり、該（チオ）ホスフェートは、ヒドロキシ含有カルボキシル化化合物（典型的には、ヒドロキシ含有カルボン酸またはその誘導体）、（典型的には、硫黄が含有されていない）リン酸化剤、および任意選択でアルコールを反応させることにより得られた／得られ得るものである、項目１５に記載の潤滑組成物。
（項目１８）
機械装置を潤滑する方法であって、該装置に前記項目１〜１７のいずれかに記載の潤滑組成物を供給することを含む方法。
（項目１９）
前記機械装置がマニュアルトランスミッションなどの動力伝達装置である、項目１８に記載の方法。
（項目２０）
前記機械装置が、遊星ハブリダクションアクスル、ユーティリティービークルのメカニカルステアリングおよびトランスファーギアボックス、シンクロメッシュギアボックス、パワーテイクオフギア、リミテッドスリップアクスル、および遊星ハブリダクションギアボックスのうちの少なくとも１種類を含むものである、項目１８に記載の方法。